(57)【要約】【課題】  地震の後でドア収容枠が変形してドアの開閉ができなくなったときに、人為的にドアとドア収容枠の隙間をあけて、ドアを開放可能とすることができるような地震対策ドアを提供する。【解決手段】この地震対策ドアは、上下方向に伸縮可能とする手段を有する上框１１と、上下方向に伸縮可能とする手段を有する下框１２と、左右方向に伸縮可能とする手段を有する戸先框１３を有する。さらにこのドアは、回転板２１を有する中央制御部２と、前記回転板２１と前記上框１１・前記下框１２・前記戸先框１３との間をそれぞれ接続する３方向のロープ３１，３２，３３を有する。前記回転板２１を回転させることにより、前記ロープ３１，３２，３３を引っ張って、前記上框１１・前記下框１２・前記戸先框１３をドア中心方向へ引き寄せることが可能である。【選択図】図２
2018071067.tif 000002
【特許請求の範囲】
【請求項１】
上下方向に伸縮可能とする手段を有する上框（１１）と、上下方向に伸縮可能とする手段を有する下框（１２）と、左右方向に伸縮可能とする手段を有する戸先框（１３）を有するドア本体と、
前記ドア本体に設けた、回転板（２１）を有する中央制御部（２）と、
前記回転板（２１）と前記上框（１１・前記下框（１２）・前記戸先框（１３）との間をそれぞれ接続する３方向のロープ（３１，３２，３３）を有する地震対策ドアであって、
前記回転板（２１）を回転させることにより、前記ロープ（３１，３２，３３）を引っ張って、前記上框（１１）・前記下框（１２）・前記戸先框（１３）をドア中心方向へ引き寄せることが可能であることを特徴とする地震対策ドア。
【請求項２】
前記中央制御部（２）が、
回転板（２１）と
外部の力を前記回転板（２１）に伝えて回転させる手段と、
前記回転板（２１）の回転をガイドする手段と、
適当な位置で前記回転板の回転を止めるストッパ（２７）と、
前記３方向のロープの各端部を固定するピン（２６）を有する
請求項１記載の地震対策ドア。
【請求項３】
外部の力を前記回転板（２１）に伝えて回転させる手段は前記回転板状の突起（２２）である請求項１又は２記載の地震対策ドア。
【請求項４】
前記回転板（２１）の回転をガイドする手段は、前記回転板に設けた長穴（２３）とこの長穴（２３）に沿ってスライドするボルト（２４）である請求項１〜３のいずれかに記載の地震対策ドア。
【請求項５】
適当な位置で前記回転板の回転を止める前記ストッパ（２７）は、前記回転板（２１）に設けた断面Ｖ字型の窪みである請求項１〜４のいずれかに記載の地震対策ドア。
【請求項６】
前記上框（１１）・前記下框（１２）・前記戸先框（１３）をそれぞれ伸縮可能とする手段は、それぞれに設けたスリット（１１３，１３３）と、このスリットをまたいで設けられたバネ（１１５，１３５）と、このスリットがスライドする内面板（１１４，１３４）とからなる請求項１〜５のいずれかに記載の地震対策ドア。
【請求項７】
前記戸先框側のロープ（３３）は錠前との衝突を避けるために２本に分かれている請求項１〜６のいずれかに記載の地震対策ドア。
【請求項８】
前記上框（１１）・前記下框（１２）・前記戸先框（１３）が引っ張られた時にバランスを失って傾かないようにするためにバランス装置（６）を複数個設けている請求項１〜７のいずれかに記載の地震対策ドア。
【請求項９】
前記バランス装置（６）はそれぞれ、本体（６１）に内蔵したバネ（６２）と、このバネ（６２）により絶えず前記上框（１１）・前記下框（１２）・前記戸先框（１３）を押圧する頭部（６３）からなるものである請求項８記載の地震対策ドア。
【発明の詳細な説明】
【技術分野】
【０００１】
本発明は、地震対策ドアに関するものである。
【背景技術】
【０００２】
近年、日本列島は活動期に入ったといわれ、全国各地で地震が頻発している。周知のように、規模の大きな地震のときには大勢の人々が死傷し、多数の建築物が損壊している。地震国に住む者として我々は、普段から地震に備えておかなければならない。
【０００３】
地震のために家屋が損壊したとき、ドア収容枠が変形して、ドアの開閉ができなくなることがある。ドアが開かないために外に出られずに救助が遅れたり、最悪のケースでは、発生した火災にのみ込まれて焼死したり、余震による建物の倒壊によって圧死したりするということもある。
【０００４】
このような事態を防ぐために、多数の発明・考案が行われている。その一つの方策は、ドアの上下及び／又は左右にバネを設けて地震による破壊力を吸収させることによって、ドアとドア収容枠の変形を生じさせないようにすることである（実開昭６１-６５１９０号公報、特開平９-１８９１７４号公報、特開平１０-１８４２１８号公報、特開平１０-２８０８２１号公報、など）。
【先行技術文献】
【特許文献】
【０００５】
【特許文献１】実開昭６１-０６５１９０号公報
【特許文献２】特開平０９-１８９１７４号公報
【特許文献３】特開平１０-１８４２１８号公報
【特許文献４】特開平１０-２８０８２１号公報
【発明の概要】
【発明が解決しようとする課題】
【０００６】
上記各特許文献では、ドアとドア収容枠の間にバネを設けて地震による破壊力を吸収している。特許文献１，２は、扉の上下方向の力を吸収し、特許文献３，４はドアの上下及び左右方向の力を吸収している。
【０００７】
これらの従来装置はうまく機能すればよいが、地震の規模やバネの強度によっては、十分目的を果たすことができない場合もあることが予想される。そのようなとき、人為的にドアとドア収容枠の隙間をあけることができれば好都合である。
【０００８】
本発明の目的は、地震の後でドア収容枠が変形してドアの開閉ができなくなったときに、人為的にドアとドア収容枠の隙間をあけて、ドアを開放可能とすることができるような地震対策ドアを提供することである。
【課題を解決するための手段】
【０００９】
本発明は、上下方向に伸縮可能とする手段を有する上框（うえかまち）１１と、上下方向に伸縮可能とする手段を有する下框（したかまち）１２と、左右方向に伸縮可能とする手段を有する戸先框（とさきかまち）１３を有するドア本体と、前記ドア本体に設けた、回転板２１を有する中央制御部２と、前記回転板２１と前記上框１１・前記下框１２・前記戸先框１３との間をそれぞれ接続する３方向のロープ３１，３２，３３を有する地震対策ドアであって、前記回転板２１を回転させることにより、前記ロープ３１，３２，３３を引き寄せて、前記上框１１・前記下框１２・前記戸先框１３をドア中心方向へ引き寄せることが可能であることを特徴とする（請求項１）。
【００１０】
好ましくは、前記中央制御部２は、回転板２１と、外部の力を前記回転板２１に伝えて回転させる手段と、前記回転板２１の回転をガイドする手段と、適当な位置で前記回転板の回転を止めるストッパ２７と、前記３方向のロープの各端部を固定するピン２６を有する（請求項２）。
【００１１】
好ましくは、外部の力を前記回転板２１に伝えて回転させる手段は前記回転板状の突起２２である（請求項３）。
【００１２】
好ましくは、前記回転板２１の回転をガイドする手段は、前記回転板に設けた長穴２３とこの長穴２３に沿ってスライドするボルト２４である（請求項４）。
【００１３】
好ましくは、適当な位置で前記回転板の回転を止める前記ストッパ２７は、前記回転板２１に設けた断面Ｖ字型の窪みである（請求項５）。
【００１４】
好ましくは、前記上框・前記下框・前記戸先框をそれぞれ伸縮可能とする手段は、それぞれに設けたスリット１１３，１３３と、このスリット１１３，１３３をまたいで設けられたバネ１１５，１３５と、このスリットがスライドする内面板１１４，１３４とからなる（請求項６）。
【００１５】
好ましくは、前記戸先框側のロープ３３は錠前との衝突を避けるために２本に分かれている（請求項７）。
【００１６】
好ましくは、前記上框１１・前記下框１２・前記戸先框１３が引っ張られた時にバランスを失って傾かないようにするためにバランス装置６を複数個設ける（請求項８）。
【００１７】
好ましくは、前記バランス装置６はそれぞれ、本体６１に内蔵したバネ６２と、このバネ６２により絶えず前記上框１１・前記下框１２・前記戸先框１３を押圧する頭部６３からなるものである（請求項９）。
【発明の効果】
【００１８】
本発明請求項１によれば、中央制御部２２の回転板２１を回転させることにより、前記ロープ３１，３２，３３を引き寄せて、前記上框１１・前記下框１２・前記戸先框１３をドア中心方向へ引き寄せることができる。この状態ではドアの縦方向及び横方向の寸法が短くなっているので、ドアは、変形したドア収容枠からでも容易に開放することができる。
【００１９】
請求項２〜７は本発明の好ましい実施態様を示している。
【００２０】
以下、添付の図面に基づいて、本発明の１実施例を説明する。
【図面の簡単な説明】
【００２１】
【図１】本発明の実施例に係る地震対策ドアの、（ａ）側面図、（ｂ）正面図であり、表面板を取り除いた状態を示している。
【図２】同実施例の作動原理を示す地震対策ドアの、（ａ）側面図、（ｂ）正面図であり、表面板を取り除いた状態を示している。
【図３】図１のＡ−Ａ断面図である。
【図４】同実施例に係る中央制御部の、（ａ）正面図、（ｂ）側面図、（ｃ）底面図、（ｄ）背面図である。
【図５】図４のＣ―Ｃの断面図であり、（ａ）は固定時、（ｂ）は回転時である。
【図６】図４のＤ−Ｄの断面図であり、（ａ）は固定時、（ｂ）は回転時である。
【図７】同実施例に係る中央制御部の、（ａ）回動前の正面図、（ｂ）回動後の正面図である。
【図８】図１のＢ−Ｂ断面図であり、（ａ）作動前、（ｂ）作動後である。
【発明を実施するための形態】
【００２２】
図１に示すように、地震対策ドア１がドア収容枠（図示せず）に蝶番５により、取り付けられている。蝶番５としては耐震蝶番を使ってもよいが、本実施例では、対震蝶番は必ずしも必要ではなく、汎用の蝶番でよい。
【００２３】
本実施例の地震対策ドア１はドアの中央部に回転板２１を有する中央制御部２が固定されている。その回転板２１からドアの上框１１、下框１２、戸先框１３の３方向に向かってロープ３１，３２，３３が張られている。戸先框１３側では、直進すると錠前（図示せず）にあたるので、それを避けるために２本に分かれて張られている。
【００２４】
図２に示すように、回転板２１を回転させると、ロープ３１，３２，３３が引っ張られて、上框１１、下框１２、戸先框１３がそれぞれ、中央制御部２に向かって移動するので、ドア１とドア収容枠（図示せず）の間に隙間１１２，１３４ができるのである。
【００２５】
回転板２１を回転させる前には、もちろん、開錠しておく必要がある。施錠したままでは、戸先框側ロープ３３を引くことができず、回転板２１も回転できないので、上框側ロープ３１も下框側ロープ３２も引くことができない。
【００２６】
図３に示すように、中央制御部２の回転板２１はドア１の屋外側の表面板１４の裏面に取り付けられた固定板２８に設置されている。室内側の表面板１５にはソケットレンチ４のような工具を差し込むための開口１６が設けられている。本発明において、人為的にドアを開放するためには、そのような工具を玄関周辺に常備しておくことが好ましい。
【００２７】
図４、５に示すように、回転板２１は中央に角柱状の突起２２を有する。突起２２の周囲４か所には長穴２３が設けられて、分断された４つの円弧を形成している。
【００２８】
各長穴２３には第１ピン２４が固定板２８にスポット溶接で固定されている。第１ピン頭部２４２と回転板上のワッシャー２４３の間にはバネ２４４が設定され、第１ピン本体２４５上で伸縮可能である。
【００２９】
回転板２１の縁部には第２ピン２６が３か所固定されており、この第２ピン２６にロープ３１，３２，３３が固定される。３か所のロープは前記したように、ドアの上框１１、下框１２、戸先框１３の３方向に向かい、各終端部１１１，１２１，１３１，１３２（図１）で緊張状態を保つように固定される。緊張状態が緩まないようにするためにロープ弛み除去機構を設けることが好ましい。
【００３０】
回転板２１にはさらにストッパ２７が設けられて、平時は回転しないようにするとともに、回転終了位置で止まるようにしている。図６に示すように、回転板２１のストッパ２７は断面がＶ字状の窪みである。Ｖ字の山型突出部２７１がドア表面板のスリット１４１又は窪みに係合したとき、回転板２１の位置が固定される（図６（ｂ））。
【００３１】
図３に示すように、開口１６を通してソケットレンチ４のソケット４１を突起２２に差し込み、突起２２を回転させると、図５（ｂ）、図６（ａ）に示すように、ストッパ２７が外れ、山型突出部２７１のために、回転板２１はやや持ち上げられた状態となって、回転可能となる。回転板２１は、図７（ａ）の状態から（ｂ）の状態に移動する。回転角度は２５度程度である。
【００３２】
ロープは緊張状態で張られているので、図２のように、ドア１の上框１１、下框１２、戸先框１３がドア中央方向に向かって進行し、ドア１とドア収容枠の間に隙間１１２，１３４ができる。隙間はそれぞれ約５ｍｍ程度で十分である。
【００３３】
上框１１、下框１２、戸先框１３がドア中央方向に向かって進行するとき、何もしなければバランスを失って傾くおそれがある。それを防止するため、図１、図２に示すように、上框１１、下框１２、戸先框１３の付近に２個ずつバランス装置６を取り付けられている。このバランス装置６は、本体６１にバネ６２が内蔵されており、このバネ６２が頭部６３を常時、各框を軽く押圧している。その押圧力はロープを引き寄せる力より強いものであってはならない。
【００３４】
回転板２１を回転させると、ドアの上框１１、下框１２、戸先框１３は寸法が短くなるので、その分のスペースをドアに確保しておかなければならない。その目的で、図８に示すように、上框１１、下框１２、戸先框１３のドア板にはコーナー部付近にスリット１１３，１３３が設けられており、このスリット１１３、１３３は内面板１１４，１３４に沿ってスライドする。スリット１１３，１３３が平時は開放状態にあるようにするため、スリットをまたぐようにバネ１１５，１３５が設定されている。
【００３５】
回転板２１を約２５度回転させると、図８（ａ）から（ｂ）の状態となる。回転板２１がストッパ位置にくると回転が止まり、バネ２４４により、山型突出部２７１がスリット１４４に入り固定される。その結果、上框１１、下框１２、戸先框１３は寸法が短くなった状態に維持される。この状態において、ドア１はドア収容枠から離れるので、ドアを開放することができるのである。
【００３６】
なお、上框１１、下框１２、戸先框１３が、ドア表面板と完全に固着していては、ドアの寸法を短くすることはできないので、これらの框は自由に移動できなければならない。またドア表面板自体がドア開閉の妨げとなってはならないので、その大きさはドアが最も小さくなったときの大きさとしておくことが好ましい。ドアが最も小さくなったときでも、ドアの上部・下部・左部でそれぞれ５ｍｍ程度短くなっているだけなので、美観を損ねたり、強度を弱くしたりすることはほとんどない。
【符号の説明】
【００３７】
１     地震対策ドア
１１   上框
１１１  ロープ終端部
１１３  スリット
１１４  内面板
１１５  バネ
１２   下框
１２１  ロープ終端部
１３   戸先框
１３１  ロープ終端部
１３３  スリット
１３４  内面板
１３５  バネ
１４   表面板
１４１  スリット
１５   表面板
１６   開口
２     中央制御部
２１   回転板
２２   突起
２３   長穴
２４   第１ピン
２４１ 先端
２４２ ボルト頭部
２４３ ワッシャー
２４４ バネ
２４５ ボルト本体
２６   第２ピン
２７   ストッパ
２７１ 山型突出部
３１  下框側ロープ
３２  上框側ロープ
３３   戸先框側ロープ
４     ソケットレンチ
４１  ソケット
５    蝶番
６    バランス装置
６１  本体
６２  バネ
６３  頭部
【図１】
2018071067.tif 000003
【図２】
2018071067.tif 000004
【図３】
2018071067.tif 000005
【図４】
2018071067.tif 000006
【図５】
2018071067.tif 000007
【図６】
2018071067.tif 000008
【図７】
2018071067.tif 000009
【図８】
2018071067.tif 000010